(57)【要約】【課題】冷媒回路の低圧側にマニホールドゲージを接続できる開閉弁を設けることにより、冷媒の圧力確認、補充および抜取り作業を容易に行なえるようにした空気調和機を提供する。【解決手段】蒸発器５と圧縮機２とを結ぶ冷媒配管6bに、マニホールドゲージ10を接続できる開閉弁11を備えた導出管6cを接続すると共に、同開閉弁11を本体内の室内側に配置して前記マニホールドゲージ10を室内側（被空調室）Ｂから接続することにより、冷媒の圧力確認、補充および抜取り作業を行なえるようにした。【選択図】  図１
2004198025.tif 000002
【特許請求の範囲】
【請求項１】
少なくとも前面を開口したキャビネット内に、仕切板により区画された底板上の室外側に配置された圧縮機および凝縮器と、室内側に配置された減圧器および蒸発器とを冷媒配管により接続した冷媒回路と、前記凝縮器および前記蒸発器に対向させた送風機とで構成された本体が出し入れ可能に収容され、前記キャビネットの室内側前面に前記蒸発器を臨ませた吸込口を一側に備え、他側に吹出口を備えた前面パネルが設けられてなる一体型空気調和機において、
前記蒸発器と前記圧縮機とを結ぶ冷媒配管に、マニホールドゲージを接続できる開閉弁を備えた導出管を接続すると共に、同開閉弁を前記室内側に配置してなることを特徴とする一体型空気調和機。
【請求項２】
前記開閉弁が、前記吸込口と前記吹出口との間に配置されてなることを特徴とする請求項１に記載の一体型空気調和機。
【請求項３】
前記前面パネルに、前記開閉弁の前面を開閉可能にカバーする開閉カバーを設けてなることを特徴とする請求項１または請求項２に記載の一体型空気調和機。
【請求項４】
前記開閉カバーが、薄肉状のヒンジ部と共に前記前面パネルに一体成形されてなることを特徴とする請求項３に記載の一体型空気調和機。
【発明の詳細な説明】
【０００１】
【発明の属する技術分野】
本発明は、一体型空気調和機に係わり、より詳細には、冷媒回路の低圧側にマニホールドゲージを接続できる開閉弁を設けることにより、冷媒の圧力確認、補充および抜取り作業を容易に行なえるようにした構造に関する。
【０００２】
【従来の技術】
圧縮機と、凝縮器と、絞り装置と、蒸発器とを冷媒配管で環状に接続し、前記圧縮機を交換する際に、最小限の冷媒放出量で圧縮機が交換できるようにするため、前記圧縮機の近傍の吸入側、吐出側の配管中に各々開閉自在の開閉弁を備えた構成でなるものがあった（例えば、特許文献１参照。）。
【０００３】
これにより、前記圧縮機の交換作業中に大気にさらされる冷媒回路内部分を最小にすることができ、さらに圧縮機停止中の寝込み現象を防止できる効果を奏していた。
【０００４】
しかしながら、上記構成でなる冷媒回路においては、前記開閉弁を備えたことが、前記圧縮機を交換する際に上述したような効果を奏するものであって、例えば図２で示すように窓部や壁Ａを貫通して設置され、仕切板ａにより室外側と室内側とに区画された底板１上に圧縮機２と、凝縮器３と、絞り装置４と、蒸発器５とを載置して冷媒配管６で環状に接続し、前記蒸発器５に対向する吸込口を一側に備え、他側に吹出口を備えた前面パネル９を設けてなる一体型空気調和機に適用したような場合、冷媒回路の低圧側6bにマニホールドゲージを接続できる開閉弁を設けることにより、とくに室内側（被空調室）Ｂから冷媒の圧力確認、補充および抜取り作業などを容易に行なえるようにしたものではなかった。
【０００５】
【特許文献１】
特開平７−３３２７８４号公報（第１頁または第４頁、第１図乃至第３図）
【０００６】
【発明が解決しようとする課題】
本発明においては、上記の問題点に鑑み、冷媒回路の低圧側にマニホールドゲージを接続できる開閉弁を設けることにより、冷媒の圧力確認、補充および抜取り作業を容易に行なえるようにした一体型空気調和機を提供することを目的とする。
【０００７】
【課題を解決するための手段】
本発明は、上記課題を解決するため、少なくとも前面を開口したキャビネット内に、仕切板により区画された底板上の室外側に配置された圧縮機および凝縮器と、室内側に配置された減圧器および蒸発器とを冷媒配管により接続した冷媒回路と、前記凝縮器および前記蒸発器に対向させた送風機とで構成された本体が出し入れ可能に収容され、前記キャビネットの室内側前面に前記蒸発器を臨ませた吸込口を一側に備え、他側に吹出口を備えた前面パネルが設けられてなる一体型空気調和機において、
前記蒸発器と前記圧縮機とを結ぶ冷媒配管に、マニホールドゲージを接続できる開閉弁を備えた導出管を接続すると共に、同開閉弁を前記室内側に配置してなる構成となっている。
【０００８】
また、前記開閉弁が、前記吸込口と前記吹出口との間に配置されてなる構成となっている。
【０００９】
また、前記前面パネルに、前記開閉弁の前面を開閉可能にカバーする開閉カバーを設けてなる構成となっている。
【００１０】
更に、前記開閉カバーが、薄肉状のヒンジ部と共に前記前面パネルに一体成形されてなる構成となっている。
【００１１】
【発明の実施の形態】
以下、本発明の実施の形態を図面に基づいた実施例として詳細に説明する。
図１は本発明による一体型空気調和機の説明図で、（Ａ）は平面図、（Ｂ）は正面図、（Ｃ）は要部断面図である。
【００１２】
本発明による一体型空気調和機は、図で示すように、仕切板ａにより区画された底板１上の室外側に配設された圧縮機２および凝縮器３と、室内側に配設された減圧器４および蒸発器５とを冷媒配管６により接続した冷媒回路を備えている。
【００１３】
また、前記底板１上には，前記凝縮器３および前記蒸発器５に対向させた送風機14が設けられている。
【００１４】
前記冷媒回路を構成する前記圧縮機２、前記凝縮器３、前記絞り装置４および前記蒸発器５と、前記送風機14とは、前記底板１上に載置された状態で室内側前面を開口したキャビネット15内に出し入れ可能に収容されている。
【００１５】
そして、前記キャビネット15の室内側前面には、前記蒸発器５を臨ませた吸込口７を一側に備え、他側には吹出口８と、電源回路13とを上下に備えた前面パネル９が着脱可能に設けられている。
【００１６】
前記圧縮機２と前記凝縮器３とを結ぶ冷媒配管６は高圧側6aとなっており、前記蒸発器５と前記圧縮機２とを結ぶ冷媒配管６は低圧側6bとなっている。
【００１７】
前記蒸発器５と前記圧縮機２とを結ぶ冷媒配管６（低圧側6b）には、マニホールドゲージ10を接続できる開閉弁11を備えた導出管6cを接続すると共に、同開閉弁11を前記室内側Ｂに配置している。
【００１８】
これにより、前記前面パネル９を取り外して前記開閉弁11に前記マニホールドゲージ10を室内側（被空調室）Ｂから接続することにより、冷媒の圧力確認、補充および抜取り作業を行なえるようにしてなる構成となっている。
【００１９】
前記開閉弁11は、前記吸込口７と前記吹出口８との間に配置されるようになっており、これら吸込口７および吹出口８における通風性能を損ねることがないように構成されている。
【００２０】
また、前記前面パネル９には、前記開閉弁11の前面を開閉可能にカバーする開閉カバー12を設けた構成になっており、これによって、前記前面パネル９を取り外すことなく、前記開閉カバー12を開くことによって前記開閉弁11に前記マニホールドゲージ10を接続できるようになる。
【００２１】
なお、前記開閉カバー12は、図１（Ｂ）および図１（Ｃ）で示すように、薄肉状のヒンジ部12a と共に前記前面パネル９の桟部9aに一体成形された構成になっており、これによって、コスト的に有利な構成で寸法および形状を精度よく形成できるようになっている。
【００２２】
以上の構成により、次にその動作について説明する。
冷媒回路の冷媒の圧力確認、補充および抜取り作業を行なう際、前記前面パネル９を取り外すことにより、もしくは開閉カバー12を開くことにより、前記壁Ａを貫通させて設置した一体型空気調和機本体を取り外したり、前記キャビネット15内から前記圧縮機２および前記凝縮器３等を載置した前記底板１を引き出すことなく、前記開閉弁11を室内側（被空調室）Ｂから容易に視認できるようにする。
【００２３】
次に、前記開閉弁11に、冷媒の圧力確認、補充および抜取り作業を行なうための装置を構成する前記マニホールドゲージ10を、室内側（被空調室）Ｂとなる前記蒸発器５の前方から容易に接続できる。
【００２４】
これにより、室内側（被空調室）Ｂから前記マニホールドゲージ10を接続できるようになって、冷媒の圧力確認、補充および抜取りなどの作業性を向上できる。
【００２５】
なお、前記開閉弁11は、同開閉弁11を接続した前記導出管6cの一部と共に、前記前面パネル９の桟部9aに一体成形された前記開閉カバー12によってカバーされているので、損傷したり意匠性を損ねてしまうといったおそれがない。
【００２６】
【発明の効果】
以上説明したように、本発明によれば、冷媒回路の低圧側にマニホールドゲージを接続できる開閉弁を設けることにより、冷媒の圧力確認、補充および抜取り作業を容易に行なえるようにした一体型空気調和機となる。
【図面の簡単な説明】
【図１】本発明による一体型空気調和機の説明図で、（Ａ）は平面図であり、（Ｂ）は正面図であり、（Ｃ）は要部断面図である。
【図２】従来例による一体型空気調和機の平面図である。
【符号の説明】
１  底板
２  圧縮機
３  凝縮器
４  減圧器
５  蒸発器
６  冷媒配管
6a  高圧側
6b  低圧側
７  吸込口
８  吹出口
９  前面パネル
9a  桟部
10  マニホールドゲージ
11  開閉弁
12  開閉カバー
12a ヒンジ部
13  電源回路
14  送風機
15  キャビネット
Ａ  壁
Ｂ  室内側（被空調室）
【図１】
2004198025.tif 000003
【図２】
2004198025.tif 000004